(57)【要約】      （修正有）【課題】温水洗浄便座装置の漏水やストレーナの詰まり等の異常を的確に検知する異常検知装置を提供する。【解決手段】着座検知装置が便座への着座を検出していない待機状態において、温水タンク内の水位が上限レベルから下限レベルへ低下するまでの時間を計測し、これが第１判定基準時間ｔ１に達したとき、漏水量が大きい漏水であると判定し、第１判定基準時間ｔ１よりも長い第２判定基準時間ｔ２に達したときは、軽微な漏水であると判定する。また、待機状態において、温水タンクへの自動給水によって基準給水時間ｔ４経過しても水位が上限レベルに達しないときは、ストレーナの詰まりと判定する。【選択図】図９
2010285774.tif 000002
【特許請求の範囲】
【請求項１】
給水配管にて供給される水道水を加熱源によって加熱する温水タンクと、前記温水タン
ク内の水位を検知する水位検知器と、前記給水配管を開閉して前記水道水の供給制御する
電磁弁と、前記温水タンクからの温水を噴出する洗浄ノズルと、便座に着座したことを検
知する着座検知装置を備え、前記水位検知器の下限水位検出にて前記電磁弁が開いて前記
温水タンクへ給水し前記水位検知器の上限水位検出にて前記電磁弁が閉じる温水洗浄便座
において、
前記着座検知装置が着座を検出していない待機状態において、前記温水タンク内の水位
が上限レベルから下限レベルへ低下するまでの時間が、判定基準時間未満または以内のと
き漏水と判定することを特徴とする温水洗浄便座装置の漏水検知装置。
【請求項２】
給水配管にて供給される水道水を加熱源によって加熱する温水タンクと、前記温水タン
ク内の水位を検知する水位検知器と、前記給水配管を開閉して前記水道水の供給制御する
電磁弁と、前記温水タンクからの温水を噴出する洗浄ノズルと、便座に着座したことを検
知する着座検知装置を備え、前記水位検知器の下限水位検出にて前記電磁弁が開いて前記
温水タンクへ給水し前記水位検知器の上限水位検出にて前記電磁弁が閉じる温水洗浄便座
において、
前記着座検知装置が着座を検出していない待機状態において、前記温水タンク内の水位
が上限レベルから下限レベルへ低下するまでの時間が、第１判定基準時間ｔ１未満または
以内のとき漏水量が大きいと判定すると共に、前記第１判定基準時間ｔ１よりも長い第２
判定基準時間ｔ２未満または以内かにて軽微な漏水と判定することを特徴とする温水洗浄
便座装置の漏水検知装置。
【請求項３】
前記待機状態の継続が所定時間に達したとき、前記温水タンクへの給水によって基準給
水時間ｔ４経過しても、前記温水タンク内の水位が上限レベルに達しないとき、前記給水
配管に設けたごみ取り用ストレーナの詰まりと判定することを特徴とする請求項１または
２に記載の温水洗浄便座装置の漏水検知装置。
【発明の詳細な説明】
【技術分野】
【０００１】
本発明は、水道水配管に接続された導水管を通って供給される水道水が、温水タンクに
よって加熱された温水が洗浄ノズルから噴出して、便座に着座した人の部位を洗浄する温
水洗浄便座装置に関し、漏水等の異常を検知する異常検知装置に関する。
【背景技術】
【０００２】
温水洗浄便座用の温水を溜めるためにヒータを内蔵した温水タンクを備え、この温水タ
ンクは、水道水が電磁弁と減圧弁を通って供給され、温水タンク内の温水を洗浄ノズルか
ら噴射して、肛門やビデ等の局部洗浄用として使用することは周知である。（例えば、特
許文献１参照）。
【先行技術文献】
【特許文献】
【０００３】
【特許文献１】特開２００１−９８６１５号公報
【発明の概要】
【発明が解決しようとする課題】
【０００４】
この特許文献１の形態では、おしり洗浄時またはビデ洗浄時には、電磁弁を開いて水道
水を温水タンク内へ供給することにより、温水タンクを通して掛かる水道水圧によって、
おしり洗浄ノズルまたはビデ洗浄ノズルを進出させ、先端のノズル口から温水を噴出する
。
【０００５】
温水タンク内の温水温度は、ヒータによる加熱量を制御するために、使用者が設定スイ
ッチによって略４０℃などの任意の温度に設定できるようになっている。長時間に亘り温
水洗浄便座を使用しないときは、このように加温された温水の自然蒸発によって温水タン
ク内の温水レベルが低下する。これは、蒸発した蒸気が温水タンク内の上壁に付着し、ま
た温水タンクに安全のために設けた負圧弁を通して、温水タンク内に空気が流入する際に
、温水タンク内の蒸発した蒸気が外部へ排出されることによる。
【０００６】
温水タンク内の温水レベル（水位）は、温水レベルに応じて上下動するフロートスイッ
チによって検知し、温水レベル（水位）が減少して所定の下限レベルに達したとき、電磁
弁を開いて水道水を温水タンク内へ供給し、所定の上限レベルに達したとき電磁弁を閉じ
る制御になっている。上記の自然蒸発による温水レベルの自然低下の速度は遅く、前記下
限レベルへ減少するまで長時間かかる。
【０００７】
上記のように、温水タンクによって加熱された温水が洗浄ノズルから噴出して、便座に
着座した人の部位を洗浄する温水洗浄便座において、何らかの原因によって漏水が生じる
ことがある。それは、温水タンクの入り口側の漏水として、温水タンクの入り口側の配管
ホースの外れ等によって生じるところの電磁弁から温水タンクまでの配管からの漏水があ
る。また、温水タンクの出口側の漏水として、温水タンクから洗浄ノズルまでの配管から
の漏水や、温水タンクの温水をおしり洗浄ノズルへ供給するかビデ洗浄ノズルへ供給する
かの切り替え弁機構のシールパッキンの不良による漏水等である。更に、温水タンクのひ
び割れによる漏水等々がある。このような漏水が生じた場合の温水レベル（水位）の低下
速度は、上記の自然蒸発による場合に比してかなり速く、前記下限レベルへ減少するまで
の時間が短い。
【０００８】
このような漏水が生じた場合、温水タンクの温水レベル（水位）が減少し、所定の下限
レベルに達したときフロートスイッチが動作し、電磁弁が開いて水道水が温水タンク内へ
供給され、この供給によって温水レベル（水位）が所定の上限レベルに達したとき電磁弁
を閉じるため、電磁弁がＯＮ／ＯＦＦする回数が増えるようになり、電磁弁の耐久性の低
下も問題になると共に、その都度水道水が温水タンク内へ供給されるため、温水温度が低
下してヒータによる加熱時間も長くなり、省エネルギーの点からも好ましくない状況とな
る。
【０００９】
本発明は、このような点に鑑み、温水タンクや温水タンクへの給水機構、温水タンクか
ら洗浄ノズルへの通水路等の異常を的確に検知し、修理などの対処を促すようにすると共
に、電磁弁の耐久性の低下防止及び省エネルギーの改善となる技術を提供するものである
。
【課題を解決するための手段】
【００１０】
第１発明は、給水配管にて供給される水道水を加熱源によって加熱する温水タンクと、
前記温水タンク内の水位を検知する水位検知器と、前記給水配管を開閉して前記水道水の
供給制御する電磁弁と、前記温水タンクからの温水を噴出する洗浄ノズルと、便座に着座
したことを検知する着座検知装置を備え、前記水位検知器の下限水位検出にて前記電磁弁
が開いて前記温水タンクへ給水し前記水位検知器の上限水位検出にて前記電磁弁が閉じる
温水洗浄便座装置において、
前記着座検知装置が着座を検出していない待機状態において、前記温水タンク内の水位
が上限レベルから下限レベルへ低下するまでの時間が、判定基準時間未満または以内のと
き漏水と判定することを特徴とする。
【００１１】
第２発明は、給水配管にて供給される水道水を加熱源によって加熱する温水タンクと、
前記温水タンク内の水位を検知する水位検知器と、前記給水配管を開閉して前記水道水の
供給制御する電磁弁と、前記温水タンクからの温水を噴出する洗浄ノズルと、便座に着座
したことを検知する着座検知装置を備え、前記水位検知器の下限水位検出にて前記電磁弁
が開いて前記温水タンクへ給水し前記水位検知器の上限水位検出にて前記電磁弁が閉じる
温水洗浄便座装置において、
前記着座検知装置が着座を検出していない待機状態において、前記温水タンク内の水位
が上限レベルから下限レベルへ低下するまでの時間が、第１判定基準時間ｔ１未満または
以内のとき漏水量が大きいと判定すると共に、前記第１判定基準時間より長い第２判定基
準時間ｔ２未満または以内かにて軽微な漏水と判定することを特徴とする。
【００１２】
第３発明は、第１発明または第２発明において、前記待機状態の継続が所定時間に達し
たとき、前記温水タンクへの給水によって基準給水時間ｔ４経過しても、前記温水タンク
内の水位が上限レベルに達しないときは、前記給水配管に設けたごみ取り用ストレーナの
詰まりと判定することを特徴とする。
【発明の効果】
【００１３】
本発明によって、温水タンクの入口側の水路、温水タンクの出口側の水路、または温水
タンク自体から漏水が生じた場合は、的確に漏水検知をすることができ、漏水対処をする
ことができる。また、自然蒸発による水位低下であるか、漏水による水位低下であるかの
判別が的確に行える。この場合、トイレの不使用時間帯は夜間であると判断して、このト
イレの不使用時間帯に、漏水量が少ない場合の軽微な漏水判定を行うよう考慮したものと
なり、自然蒸発による水位低下であるか、軽微な漏水による水位低下であるかの判別が的
確に行えるようにできる。
【００１４】
また、温水タンクの温水レベルの減少が激しく、漏水量が大きい場合の漏水判定と、漏
水量が少ない場合の軽微な漏水判定とを行うことにより、この二種類の漏水のいずれをも
検知できるものとなる。
【００１５】
そして、この判定によって、エラー警告をすることにより、速やかに漏水対処をするこ
とができ、漏水によって生じる電磁弁の頻繁なＯＮ／ＯＦＦによる耐久性の低下の防止が
でき、また、頻繁に水道水が温水タンク内へ供給されることにより生じる温水温度の低下
、及びそれに伴って加熱源による加熱時間が長くなり、省エネルギーの点から好ましくな
い状況となることの防止ができる。
【００１６】
また、温水タンクへ水道水を供給する給水配管に取り付けたごみ取り用のストレーナが
詰まった状態を速やかに検知して、修理などの対処を促すことができるため、漏水とスト
レーナの詰まりも両方の判定によって、故障検知が良好となる。
【図面の簡単な説明】
【００１７】
【図１】本発明に係る温水洗浄便座装置の蓋が閉まった状態の斜視図。
【図２】本発明に係る温水洗浄便座装置の蓋と機能部分のカバーを取り外した状態の機能部分と制御ボックスを示す正面斜視図。
【図３】本発明に係る温水洗浄便座装置の着座検知装置部分の断面図。
【図４】本発明に係る温水洗浄便座装置の待機モードにおけるおしり洗浄用ノズルとビデ洗浄用ノズルの状態を示す説明図。
【図５】本発明に係る温水洗浄便座装置のおしり洗浄モードにおけるおしり洗浄用ノズルとビデ洗浄用ノズルの状態を示す説明図。
【図６】本発明に係る温水洗浄便座装置のビデ洗浄モードにおけるおしり洗浄用ノズルとビデ洗浄用ノズルの状態を示す説明図。
【図７】本発明に係る温水洗浄便座装置の制御装置の構成図。
【図８】本発明に係る水位検知器であるフロートスイッチの構成図。
【図９】本発明に係る漏水検知の動作説明図。
【発明を実施するための形態】
【００１８】
本発明の実施形態について説明する。図１は本発明に係る温水洗浄便座装置の蓋が閉ま
った状態の斜視図、図２は本発明に係る温水洗浄便座装置の蓋と機能部分のカバーを取り
外した状態の機能部分と制御ボックスを示す正面斜視図、図３は本発明に係る温水洗浄便
座装置の着座検知装置部分の断面図、図４は本発明に係る温水洗浄便座装置の待機モード
におけるおしり洗浄用ノズルとビデ洗浄用ノズルの状態を示す説明図、図５は本発明に係
る温水洗浄便座装置のおしり洗浄モードにおけるおしり洗浄用ノズルとビデ洗浄用ノズル
の状態を示す説明図、図６は本発明に係る温水洗浄便座装置のビデ洗浄モードにおけるお
しり洗浄用ノズルとビデ洗浄用ノズルの状態を示す説明図、図７は本発明に係る温水洗浄
便座装置の制御装置の構成図、図８は本発明に係る水位検知器であるフロートスイッチの
構成図、図９は本発明に係る漏水検知の動作説明図である。
【実施例１】
【００１９】
本発明の実施例を図に基づき説明する。図において、１は洋式便器ＹＢの上に設置され
る本発明の温水洗浄便座装置を示しており、裏側から絶縁被覆されたコードヒータ（図示
せず）で加温される便座２と、便座２の上面を覆う開閉蓋３と、便座２及び開閉蓋３の後
方に位置して後述の機能部１０を配置すると共に便座２及び開閉蓋３を開閉回動可能に支
持する基材部８を備えている。基材部８には、洗浄ノズルとして便座２の後部下側へ延び
るおしり（肛門）洗浄用ノズル４Ａとビデ洗浄用ノズル４Ｂ、温水タンク５、及び電装部
６等を含む機能部１０が配設され、この機能部１０を覆うようにカバー７が基材部８に着
脱自在に取り付けられている。カバー７の一部がパネル７Ａになっている。蓋３の後端部
の駆動側（図では右側）は、基材部８に支持部材を介して取り付けた電動機装置９によっ
て往復回転する回転軸１１に取り付けられて、蓋３が上方に開閉回動可能である。
【００２０】
また、便座２の後端部の駆動側（図２では左側）は、基材部８に取り付けた電動機装置
１２によって往復回転する回転軸１３に取り付けられて、便座２が上方に開閉回動可能で
ある。また、便座２の後端部の従動側（図では右側）は、便座２の後端部から水平方向に
外向きに突出した円筒状軸部２４が一体に形成され、この円筒状軸部２４が後述の着座検
知装置２５のタクトスイッチ２８の作動部として作用する。なお、この円筒状軸部２４へ
緩く進入するように基材部８から延びた水平方向軸によって、回動可能且つ上下動可能に
支持するようにしてもよい。また、円筒状軸部２４が基材部８の軸受け部に上下動可能に
支持される構成でもよい。
【００２１】
温水タンク５は、図４等に示すように、後述の導水管１９及び配管ホースＰＰ等にて構
成された給水配管を通して供給される水道水を加熱源によって加熱する。洗浄水として温
水タンク５へ供給される水道水は、パイプジョイント装置１４によって水道水配管（通常
は上水道配管）に接続された導水管１９に取り付けたごみ取り用のストレーナ６２と逆止
弁６３を通過した後、導水管１９に取り付けた電磁弁４０と減圧弁４１を順次通り、後述
の開閉弁４７を経て温水タンク５内の底部へ供給される。１９Ａは温水タンク５へ水道水
が供給される前記給水配管の途中に設けた接続部である。図示していないが、機能部１０
は温風用電気ヒータを内蔵した温風供給装置を備えており、これが基材部８に取り付けら
れていて、便座２の後部下側へ延びる温風ノズルから温風を供給して、洗浄後のお尻を乾
燥するようにしている。
【００２２】
基材部８には、便座２の側方（図２では右側）に配置した上面開口の制御ボックス８０
が連結されており、機能部１０を覆うカバー７に一体または別体に制御ボックス８０の上
面を覆うカバー８４が設けられている。制御ボックス８０内には、おしり（肛門）洗浄用
ノズル４Ａとビデ洗浄用ノズル４Ｂによる洗浄開始、洗浄停止等を行うスイッチＳＷを取
り付けた絶縁性基板８１を内蔵している。制御ボックス８０の上面開口は、カバー８４で
覆われ、カバー８４の上面はスイッチＳＷの手動操作部８３を構成する可撓性薄板８５で
覆われている。手動操作部８３を押すことによって、対応するスイッチＳＷが作動する。
図示のものは制御ボックス８０が便座２の側部に配置された構成であるが、操作をリモー
トコントロール方式とする場合は、制御ボックス８０の部分がリモートコントローラとな
る。
【００２３】
前記スイッチＳＷは絶縁性基板８１に取り付けられており、このスイッチＳＷは、実施
例では、おしり（肛門）洗浄開始スイッチ４３Ａ、ビデ洗浄開始スイッチ４３Ｂ、洗浄停
止スイッチ４４、温水タンク５の加熱用シーズヒータ４２のＯＮ−ＯＦＦスイッチ４５、
洗浄水の水勢調節スイッチ４９Ａ、４９Ｂ、温水タンク５の温水温度可変スイッチ６４等
である。絶縁性基板８１には、後述の異常（エラー）を報知する警報装置８２としてのＬ
ＥＤ（発光ダイオード）８２が取り付けられている。ＬＥＤ（発光ダイオード）８２の発
光が制御ボックス８０の上面から目視できるように、ＬＥＤ（発光ダイオード）８２の光
は、カバー８４を貫通した透孔から可撓性薄板８５の透明部に照射される。警報装置８２
は、発音装置としてもよい。
【００２４】
温水タンク５内の水を加熱するための加熱源４２が、温水タンク５内の底部に配設され
ている。温水タンク５に供給された水は、温水タンク５内に配置した加熱源４２で温水と
なる。実施例では、この加熱源４２はシーズヒータ４２として示しているが、加熱源４２
を誘導加熱コイル方式によって温水タンク５内の水を加熱する方式としてもよい。シーズ
ヒータ４２を通電する温水モードとするか、非通電の冷水モード（供給される水道水温）
とするかは、プッシュ・プッシュ式の温水ヒータスイッチ４５によって制御される。
【００２５】
温水タンク５の上壁には、温水タンク５内の異常温度を検知してシーズヒータ４２への
通電回路を遮断する温度検知部２１と、温水タンク５内の温水レベル（洗浄水レベル）を
検知することにより電磁弁４０を開閉制御して、温水タンク５内の温水レベル（洗浄水レ
ベル）を所定レベルに制御する水位検知器２２と、温水タンク５内の圧力が外気圧よりも
高い所定値になったとき温水タンク５内と外気を連通する差圧弁２３Ａを備えた気圧調整
用パイプ２３Ｂの取り付け部２３が設けられている。実施例では、水位検知器２２をフロ
ートスイッチ２２で示している。温水タンク５内は、差圧弁２３Ａの作用によって外気と
連通する以外は、外気と連通しないように気密構造である。また、温水タンク５内の温水
温度は、温水モードにおいて温水温度可変スイッチ６４によって使用者が任意の設定温度
に設定できる。温水モードにおいてシーズヒータ４２への通電を制御して、温水タンク５
内の温水温度を前記設定温度に維持するため、温水タンク５内の温水温度を検知するサー
ミスタ６１が設けられている。
【００２６】
おしり洗浄用ノズル４Ａとビデ洗浄用ノズル４Ｂは、温水タンク５内の洗浄水の水圧に
よって進出するようにするために、洗浄モードに入る前の待機モードでは、おしり洗浄用
ノズル４Ａとビデ洗浄用ノズル４Ｂは、図４のように、それぞれコイルバネ４Ａ２、４Ｂ
２によって、ノズルカバー４Ａ１、４Ｂ１内に収容された状態であり、洗浄モードにおい
て、おしり洗浄用ノズル４Ａとビデ洗浄用ノズル４Ｂは、それぞれコイルバネ４Ａ２、４
Ｂ２を圧縮しつつ前方へ進出する仕組みである。
【００２７】
組み立てのし易さ等を考慮して、図に示すように、コイルバネ４Ａ２、４Ｂ２及びノズ
ルカバー４Ａ１、４Ｂ１を含むおしり洗浄用ノズル４Ａとビデ洗浄用ノズル４Ｂの機構、
ステッピングモータ４６を含む開閉弁４７機構とノズル通路切り替え弁４８機構は、１つ
の洗浄ノズルユニットＮＵを構成している。
【００２８】
導水管１９によって温水タンク５へ供給される水道水の給水配管には、この給水配管の
水路を開閉する開閉弁４７が設けられている。導水管１９は、電磁弁４０または開閉弁４
７のいずれかの弁装置によって開閉するものでもよいが、実施例では電磁弁４０と開閉弁
４７の二つ弁装置によって開閉されるようにしているのは、一方の弁装置が導水管１９を
開いたままで故障しても、他方の弁装置が導水管１９を閉じておれば、水道水圧が温水タ
ンク５へ掛かることが無いための安全を考慮したものである。
【００２９】
温水タンク５内の洗浄水をおしり洗浄用ノズル４Ａへ供給するか、ビデ洗浄用ノズル４
Ｂへ供給するかを切り替えるノズル通路切り替え弁４８が、おしり洗浄用ノズル４Ａ側の
入口通路７４Ａとビデ洗浄用ノズル４Ｂ側の入口通路７４Ｂの分岐部７２に設けられてい
る。開閉弁４７とノズル通路切り替え弁４８は、１つのステッピングモータ４６によって
正転・逆転する回動軸７０と、この回動軸７０を収容した筒体７１によって構成されてい
る。開閉弁４７機構は、回動軸７０の回転によって水入口通路ＥＴと水出口通路ＸＴを連
通する構成である。また、ノズル通路切り替え弁４８の機構は、回動軸７０の先端から軸
方向へ形成した有底の中空通路７３と、この中空通路７３に連通するように回動軸７０の
一部を貫通した連通路４８Ａが形成されていて、回動軸７０の回転によっておしり洗浄用
ノズル４Ａ側へ洗浄水を流すか、ビデ洗浄用ノズル４Ｂ側へ洗浄水を流すかの切り替えを
行なう構成である。
【００３０】
洗浄モードに入る前の待機モードにおいては、図４に示すように、開閉弁４７機構では
、水入口通路ＥＴと水出口通路ＸＴを連通しない位置にあり、開閉弁４７が閉じた状態で
ある。また、ノズル通路切り替え弁４８機構では、通路４８Ａが筒体７１によって塞がれ
た状態であり、中空通路７３がおしり洗浄用ノズル４Ａ側の入口通路７４Ａとビデ洗浄用
ノズル４Ｂ側の入口通路７４Ｂのいずれにも連通していない状態である。このため、図４
に示すように、おしり洗浄用ノズル４Ａとビデ洗浄用ノズル４Ｂが、それぞれコイルバネ
４Ａ２、４Ｂ２によって、ノズルカバー４Ａ１、４Ｂ１内に収容された状態である。
【００３１】
取り付けの安定化のためにストレーナ６２、逆止弁６３、電磁弁４０及び減圧弁４１は
、所定形状に成形された合成樹脂製の導水管１９に取り付けているが、図４等に示すよう
に、洗浄ノズルユニットＮＵと導水管１９との間の給水路、洗浄ノズルユニットＮＵと接
続部１９Ａとの間の給水路、接続部１９Ａと温水タンク５との間の給水路は、組み立ての
し易さを考慮して、可撓性パイプの配管ホースＰＰが用いられている。
【００３２】
温水タンク５内の洗浄水レベルは、待機モードでは、図４に示すようにタンク水送出パ
イプ７５の上端開口よりも若干低いＷＬラインに維持されており、後述のようにおしり洗
浄モード及びビデ洗浄モードのいずれかの洗浄モードになれば、水道水の水圧によってＷ
Ｌラインよりも高い水位となり、タンク水送出パイプ７５の上端開口からタンク水送出パ
イプ７５内へ洗浄水が流入する状態となる。
【００３３】
便座２は、その裏側に間隔を存して複数個の弾性脚部が設けられ、便器上面フランジ部
に便座２を倒した状態で、この弾性脚部が便器上面フランジ部に当接する。この弾性脚部
によって、便座２に着座した使用者の体重によって軸部２４側が下降する構成であり、軸
部２４が下降することによって、スイッチカバー３４がコイルバネ３５を圧縮して、着座
検知装置２５のタクトスイッチ２８の作動部２９が下方へ押され、タクトスイッチ２８が
作動する仕組みである。また、着座状態の便座２から人が離れることによって、タクトス
イッチ２８が復帰する。着座検知装置２５は、この他に光電スイッチにて着座を検知する
ものでもよい。
【００３４】
電装部６には図７にても示す各種制御を行うための制御部６０（制御回路部６０と称し
てもよい）を構成する制御基板（図示せず）が収容されており、この制御基板（図示せず
）に絶縁性基板８１は電気的に接続されている。便座２に人が着座してタクトスイッチ２
８が閉じた（ＯＮした）状態で、おしり洗浄開始スイッチ４３Ａまたはビデ洗浄開始スイ
ッチ４３Ｂを便座２の使用者がＯＮ操作することによって、これらを制御部６０が検知し
て洗浄モードとなり、制御部６０が作動して、おしり洗浄用ノズル４Ａまたはビデ洗浄用
ノズル４Ｂが進出してその進出したノズルから洗浄水が噴出する。この噴出は、洗浄停止
スイッチ４４を便座２の使用者がＯＮ操作することによって停止する。
【００３５】
このように、おしり洗浄開始スイッチ４３Ａまたはビデ洗浄開始スイッチ４３Ｂの操作
を制御部６０が検知し、温水タンク５内の洗浄水（シーズヒータ４２が通電モードによる
温水と、シーズヒータ４２が非通電モードによる水道水そのままの場合がある）が、おし
り洗浄用ノズル４Ａまたはビデ洗浄用ノズル４Ｂから噴出する制御について説明する。
【００３６】
水道水は、後述のように、水道水配管に接続された導水管１９に取り付けた電磁弁４０
と減圧弁４１を順次通り、開閉弁４７を経て温水タンク５へ供給される。通常使用状態に
おいて洗浄モードに入る前の待機モードでは、電磁弁４０と開閉弁４７が導水管１９を閉
じており、予め供給されている温水タンク５内の洗浄水レベルは、図４に示すＷＬライン
に維持されている。温水タンク５の水は、シーズヒータ４２が通電モードになっておれば
温水となり、シーズヒータ４２が非通電モードであれば水道水そのままである。洗浄モー
ドでない待機モードでは、おしり洗浄用ノズル４Ａとビデ洗浄用ノズル４Ｂは、図４のよ
うにそれぞれコイルバネ４Ａ２、４Ｂ２によって、ノズルカバー４Ａ１、４Ｂ１内に収容
された退避状態（後退状態）である。
【００３７】
便座２に人が着座してタクトスイッチ２８が閉じた（ＯＮした）状態で、おしり洗浄開
始スイッチ４３Ａまたはビデ洗浄開始スイッチ４３Ｂを便座２の使用者がＯＮ操作するこ
とによって、これらを制御部６０が検知して洗浄モードとなる。即ち、タクトスイッチ２
８による着座検知と、おしり洗浄開始スイッチ４３Ａまたはビデ洗浄開始スイッチ４３Ｂ
のＯＮの両方が整ったとき（ＡＮＤ状態）によって、洗浄モードとなる。
【００３８】
この洗浄モードは、おしり洗浄モードとビデ洗浄モードがある。先ず、おしり洗浄モー
ドについて説明する。おしり洗浄開始スイッチ４３Ａに対応する手動操作部８３を押して
おしり洗浄開始スイッチ４３ＡをＯＮすることにより、制御部６０の動作によって、通電
によって電磁弁４０が開くと共に、ステッピングモータ４６が制御部６０からのパルス信
号によってステップ作動して回動軸７０が正回転し、開閉弁４７機構では、水入口通路Ｅ
Ｔと水出口通路ＸＴを連通するように開閉弁４７が開いた状態となり、水道水圧が温水タ
ンク５内へ掛かる状態となる。また、このステッピングモータ４６の動作によって、ノズ
ル通路切り替え弁４８機構では、連通路４８Ａがおしり洗浄用ノズル４Ａ側の入口通路７
４Ａに連通した状態となる。このため、水道水圧が温水タンク５内に掛かることにより、
温水タンク５内の洗浄水がおしり洗浄用ノズル４Ａへ供給され、図５のように、その水圧
によっておしり洗浄用ノズル４Ａがコイルバネ４Ａ２をそのバネ力に抗して圧縮しつつ、
前方へ進出し、先端のノズルから洗浄水が噴出する。
【００３９】
次に、ビデ洗浄モードについて説明する。ビデ洗浄開始スイッチ４３Ｂに対応する手動
操作部８３を押してビデ洗浄開始スイッチ４３ＢをＯＮすることにより、制御部６０の動
作によって、通電によって電磁弁４０が開くと共に、ステッピングモータ４６が制御部６
０からのパルス信号によってステップ作動して回動軸７０が逆回転し、開閉弁４７機構で
は、水入口通路ＥＴと水出口通路ＸＴを連通するように開閉弁４７が開いた状態となり、
水道水圧が温水タンク５内へ掛かる状態となる。また、このステッピングモータ４６の動
作によって、ノズル通路切り替え弁４８機構では、連通路４８Ａがビデ洗浄用ノズル４Ｂ
側の入口通路７４Ｂに連通した状態となる。このため、水道水圧が温水タンク５内に掛か
ることにより、温水タンク５内の洗浄水がビデ洗浄用ノズル４Ｂへ供給され、図６のよう
に、その水圧によってビデ洗浄用ノズル４Ｂがコイルバネ４Ｂ２をそのバネ力に抗して圧
縮しつつ、前方へ進出し、先端のノズルから洗浄水が噴出する。
【００４０】
おしり洗浄モードまたはビデ洗浄モードのいずれにおいても、噴出する洗浄水の流量は
、流量可変スイッチ４９Ａ、４９Ｂによって行なう。待機モードから洗浄モードになった
ときは、最大流量と最小流量の中間流量に設定されるようになっており、この状態から使
用者が水勢を強くするときは水勢調節スイッチ８７をＯＮ操作し、水勢を弱くするときは
水勢調節スイッチ８８をＯＮ操作することによって、制御部６０によってステッピングモ
ータ４６が作動して回動軸７０が回動し、それによってノズル通路切り替え弁４８の開度
（連通路４８Ａが筒体７１によって塞がれる範囲）が変わり、選択されたおしり洗浄用ノ
ズル４Ａまたはビデ洗浄用ノズル４Ｂから噴出する洗浄水の流量を可変できる。
【００４１】
おしり洗浄モードまたはビデ洗浄モードのいずれにおいても、洗浄停止スイッチ４４を
便座２の使用者がＯＮ操作することによって停止する。洗浄停止スイッチ４４をＯＮ操作
することにより、制御部６０の動作によって、電磁弁４０が非通電となって導水管路を閉
じると共に、ステッピングモータ４６が制御部６０からのパルス信号によってステップ作
動し、開閉弁４７機構では、水入口通路ＥＴと水出口通路ＸＴを非連通状態とし、開閉弁
４７が閉じた状態に復帰し、また、ノズル通路切り替え弁４８機構も、連通路４８Ａが入
口通路７４Ａ、７４Ｂのいずれにも連通しない状態に復帰する。このようにして、おしり
洗浄用ノズル４Ａまたはビデ洗浄用ノズル４Ｂへ水道水圧が掛からなくなるため、電磁弁
４０と開閉弁４７が閉じることにより、水道水圧が温水タンク５内へ掛からなくなるため
、おしり洗浄用ノズル４Ａまたはビデ洗浄用ノズル４Ｂは、それぞれ対応するコイルバネ
４Ａ２、４Ｂ２によって、図４のように、ノズルカバー４Ａ１、４Ｂ１内に収容された状
態に復帰する。
【００４２】
図８には、水位検知器２２の一つであるフロートスイッチ２２の構成図である。フロー
トスイッチ２２は、温水タンク５内に上下に延びたガイド棒５１Ｃと、ガイド棒５１Ｃの
上限ストッパ５１Ｃ１と下限ストッパ５１Ｃ２間を温水タンク５内の水位に応じて上下動
するようにガイド棒５１Ｃに支持したフロート５１Ａと、ガイド棒５１Ｃの上部位置に設
けたリードスイッチ５１Ｂで構成され、フロート５１Ａが温水タンク５内の水位に応じて
上下動することにより、フロート５１Ａに設けた磁石Ｍｇがリードスイッチ５１ＢをＯＮ
−ＯＦＦ作動する構成である。フロートスイッチ２２のＯＮにて、即ち、フロート５１Ａ
の上限水位位置にて磁石Ｍｇによってリードスイッチ５１ＢがＯＮすることによって、導
水管１９に取り付けた電磁弁４０を閉じ、また、フロート５１Ａが下降して磁石Ｍｇがリ
ードスイッチ５１Ｂから離れたとき、リードスイッチ５１ＢがＯＦＦして電磁弁４０を開
くように制御して、温水タンク５内に所定量の水が供給されるようにする。
【００４３】
図９は本発明に係る漏水検知のフローチャートを示している。先ず、温水洗浄便座装置
１を洋式便器ＹＢに設置した当初から温水タンク５内の水を加熱する初期加熱と待機状態
について説明する。通常状態の動作として、先ず洋式便器ＹＢの上に温水洗浄便座装置１
を設置し給水配管接続した状態では、温水タンク５内は空の状態である。このため、フロ
ート５１Ａは上記下限水位よりも下方に下降しており、下限ストッパ５１Ｃ２にて停止し
た状態である。この状態で、温水洗浄便座装置１側の電源プラグを電源コンセントに差し
込むことによって、図９に示すように、温水洗浄便座装置１の電源ＯＮ（電源供給）にて
給水モードＫＭとなり、制御部６０によって電磁弁４０に通電（ＯＮ）して導水管１９を
開き、水道水が温水タンク５内に供給される。この供給による温水タンク５内の水位の上
昇に伴って、フロート５１Ａが上昇し、所定の上昇時点で磁石Ｍｇによって、図９に水位
センサＯＮとして示すように、リードスイッチ５１ＢがＯＮしたとき、制御部６０の動作
によって、電磁弁４０を非通電（ＯＦＦ）して導水管１９を閉じ、温水タンク５内への水
道水の供給が停止する。このときの水位が上限レベルである。
【００４４】
このようにフロート５１Ａが上昇することによって、磁石Ｍｇによってリードスイッチ
５１ＢがＯＮし、制御部６０の動作によって、シーズヒータ４２へ通電し、温水タンク５
内の水が加熱される。この加熱によって上昇した水温が上限設定温度Ｔ３になれば、温水
タンク５内の温水温度を検知するサーミスタ６１の検知に基づき制御部６０の動作によっ
て、シーズヒータ４２の通電回路をＯＦＦする。また、温度低下によって水温が下限設定
温度Ｔ２になれば、サーミスタ６１の検知に基づき制御部６０が動作してシーズヒータ４
２の通電回路をＯＮし、シーズヒータ４２に通電されて発熱し、温水タンク５内の水を加
熱する。この加熱によって上昇した水温が上限設定温度Ｔ３になれば、サーミスタ６１の
検知に基づき制御部６０の動作によって、シーズヒータ４２の通電回路をＯＦＦする。こ
のようなサイクル動作によって、温水タンク５内の水温が所定の温度ＴＳ℃の温水に保た
れる。
【００４５】
温水洗浄便座装置１において、温水タンク５の入口側の水路、温水タンク５の出口側の
水路、または温水タンク５自体から漏水が生じた場合は、温水タンク５の温水レベルが減
少する。このような漏水の具体例として、温水洗浄便座装置１への温水タンク５及び洗浄
ノズルユニットＮＵ等の組み立て、修理点検、或いは経年変化等により、前記配管ホース
ＰＰの接続部の接続不良が生じた場合は、その部分から漏水が生じる。また、洗浄ノズル
ユニットＮＵの開閉弁４７やノズル通路切り替え弁４８に備えられたシールパッキン（図
示せず）の劣化により、その部分から漏水が生じる。また、温水タンク５が合成樹脂成形
品である場合、成形時に形成された樹脂注入部（一般的にはゲートと称する）の切り取り
時に生じる微小な割れ等により、その部分から漏水が生じる。このような漏水は軽微な漏
水であり、この漏水は洋式便器ＹＢ内に流れ込むため、使用者は気がつかないことがある
。また、大量の漏水としては、前記配管ホースＰＰの接続部が外れた場合である。この場
合の漏水も洋式便器ＹＢ内に流れ込むが、無駄に水が捨てられる状態である。
【００４６】
一方、蒸発による温水レベルの自然低下の場合は、温水タンク５内の温水のレベルが上
限レベルから下限レベルに減少するまで長時間かかる。しかし、上記のように漏水が生じ
た場合は、温水タンクの温水レベル（水位）の低下を来たすが、このような漏水が生じた
場合の温水タンク５内の温水レベル（水位）の低下速度は、自然低下における温水レベル
（水位）の低下速度よりもかなり速くなり、電磁弁４０がＯＮ／ＯＦＦする回数が増える
。
【００４７】
このため、電磁弁４０の耐久性の低下も問題になると共に、その都度水道水が温水タン
ク５内へ供給されるため、温水温度が低下してシーズヒータ４２による加熱時間も長くな
り、省エネルギーの点からも好ましくない状況となる。本発明では、このような点に鑑み
、漏水を速やかに検知するために、温水レベルの低下が、この自然低下によるものか、漏
水によるものかを区別した検知動作を行なう。以下、この検知方式について説明する。
【００４８】
上記のように、温水タンク５内の温水のレベル（水位）が上限レベル（上限水位）に達
したとき、リードスイッチ５１ＢがＯＮする。この状態が、温水タンク５内の温水のレベ
ル（水位）が上限レベルに達した正常状態である。この正常状態において、図９に示すよ
うに、ステップＳ０にて便座２に人が着座したか否かを常時監視している。このステップ
Ｓ０において、便座２に人が着座していない場合は、着座検出装置２５が動作していない
ので、この判定によって、図９に示す待機モードＴＭへ移行する。また、便座２に人が着
座したことを着座検出装置２５が検知したとき、即ち、この着座にてタクトスイッチ２８
が閉じた（ＯＮした）ことが判定されれば、図９に示す使用モードＳＭへ移行する。使用
モードＳＭでは、おしり洗浄開始スイッチ４３Ａまたはビデ洗浄開始スイッチ４３Ｂが、
便座２の使用者によってＯＮ操作されることによって制御部６０が作動し、上記のような
洗浄モードとなる。この洗浄モードは、タクトスイッチ２８による着座検知と、おしり洗
浄開始スイッチ４３Ａまたはビデ洗浄開始スイッチ４３ＢのＯＮの両方が整ったとき（Ａ
ＮＤ状態）である。この洗浄モードは、上記のように、おしり洗浄モードとビデ洗浄モー
ドであり、上記のようなおしり洗浄とビデ洗浄の動作が行われる。
【００４９】
図９に示す待機モードＴＭにおいて、本発明に係る漏水検知動作が行われる。本発明に
係る漏水検知動作は、着座検知装置２５が着座を検出していない待機状態（待機モードＴ
Ｍ）において、温水タンク５内の水位が上限レベルから下限レベルへ低下するまでの時間
が、判定基準時間未満か否か、又は判定基準時間に達したか否かで漏水と判定する。その
一つとして、温水タンク５内の水位が上限レベルから下限レベルへ低下するまでの時間が
、判定基準時間に達したとき漏水と判定するものであり、この具体的な判定手段として、
着座検知装置２５が着座を検出していない待機状態において、温水タンク５内の水位が上
限レベルから下限レベルへ低下するまでの時間を計測し、これが第１判定基準時間ｔ１に
達したとき、漏水量が大きい漏水であると判定する。また、前記第１判定基準時間ｔ１よ
りも長い第２判定基準時間ｔ２に達したときは、軽微な漏水であると判定するものである
。
【００５０】
このため、第１判定基準時間ｔ１を漏水量が大きい漏水の判定に適する比較的短い値に
設定し、また、第２判定基準時間ｔ２を軽微な漏水の判定に適するよう、第１判定基準時
間ｔ１よりもかなり長い値に設定する状態で説明する。以下、第１判定基準時間ｔ１を３
０秒とし、第２判定基準時間ｔ２を１５分に設定した状態で具体的な構成を説明する。
【００５１】
待機モードＴＭに移行した状態で、温水タンク５内の温水のレベル（水位）は、正規水
位にある。待機モードＴＭにおいて、ステップＳ１にて、制御部６０の漏水検知動作の関
連回路と、後述のストレーナ６２の詰まり判定動作の関連回路がリセットされ、ステップ
Ｓ２にて温水タンク５内の温水のレベル（水位）が正規水位であるか否かが判定される。
正規水位とは、正規の水量が確保されている状態を意味しており、制御部６０によって、
リードスイッチ５１ＢがＯＮする上限レベル（上限水位）に達し、リードスイッチ５１Ｂ
がＯＦＦする下限レベル（下限水位）に減少していない状態であれば、正規の水量が確保
されている正規水位状態である。一方、リードスイッチ５１ＢがＯＦＦする下限レベル（
下限水位）に減少した場合は、正規の水量が確保されておらず正規水位でない状態である
。このため、リードスイッチ５１ＢがＯＮしているか否かで、温水タンク５内の温水のレ
ベル（水位）が正規水位であるか否かを判定することができる。
【００５２】
なお、制御部６０の動作との関係によって、リードスイッチ５１ＢがＯＦＦしたとき、
上限レベル（上限水位）に達したものとしてもよい。この場合は、リードスイッチ５１Ｂ
がＯＦＦしたとき上限レベル（上限水位）であり、ＯＮしたとき下限レベル（下限水位）
である。この実施例では、リードスイッチ５１ＢがＯＮしたとき、上限レベル（上限水位
）に達したものとして、以下の説明を行なうこととする。
【００５３】
ステップＳ２での判定が、正規水位であればＹｅｓ、正規水位でなければＮｏとなる。
Ｙｅｓの場合は、ステップＳ３へ進み、制御部６０に含まれるウォッチングタイマＷＴＣ
がスタートし、異常判定動作がスタートする。このスタートから所定時間ｔ０（実施例と
して１０秒とする）に達したとき、再びステップＳ２にて正規水位であるか否かが判定さ
れる。この所定時間ｔ０の１０秒は、温水タンク５内の温水レベルを判定する判定間隔で
あり、ステップＳ２にてＹｅｓの出力が続く間は、このフローが循環する。
【００５４】
前記所定時間ｔ０は、温水タンク５内の温水レベルが、自然蒸発による水位低下である
か漏水による水位低下であるかの判定が、的確に行えるようにするための設定時間である
。この判定間隔は、短くすれば温水タンク５内の温水レベルを判定する精度が上がり、長
くすればその精度が低下するが、例えば１５分以下の時間の適宜時間を設定することがで
きる。
【００５５】
このようにステップＳ２にて、所定時間ｔ０として設定した１０秒間隔（１０秒ごとの
繰り返し）でもって、温水タンク５内の温水レベルが正規水位であるか否かが判定される
が、何回目かに行なわれたステップＳ２での判定が、正規水位でなければＮｏとなる。ス
テップＳ２での判定がＮｏの場合は、Ｎｏ−１のフローへ移行する。フローＮｏ−１は、
漏水により温水タンク５の温水レベルの減少が速く、漏水量が多い場合の漏水判定である
。
【００５６】
Ｎｏ−１のフローへの移行によって、異常判定動作がスタートしてからステップＳ２で
Ｎｏの判定までの時間が、第１判定基準時間ｔ１未満か否か、又は第１判定基準時間ｔ１
に達したか否かが、ステップＳ４において制御部６０に含まれる第１判定手段にて判定さ
れる。異常判定動作がスタートしてからの時間が、第１判定基準時間ｔ１未満または以内
であれば、ステップＳ２での判定がＹｅｓとなり、ステップＳ５にエラー状態として示す
ように、漏水であると判定した出力状態となる。この第１判定基準時間ｔ１は、漏水量が
大きい漏水の判定に適する比較的短い値に設定され、実施例では３０秒としている。また
、異常判定動作がスタートしてからステップＳ２でＮｏの判定までの時間が、第１判定基
準時間ｔ１以上または第１判定基準時間ｔ１を超えた場合は、ステップＳ４での判定がＮ
ｏとなり、Ｎｏ−２のフローへ移行する。
【００５７】
実施例では、ステップＳ２での１０秒ごとの判定において、例えば、ステップＳ２での
１回目の判定（異常判定動作がスタートしてから１０秒後の判定）が正規水位でないＮｏ
となることにより、異常判定動作がスタートしてからの時間が３０秒以内であるため、ス
テップＳ４の判定がＹｅｓとなり、ステップＳ５にて漏水であると判定した出力状態とな
る。同様に、ステップＳ２での１回目の判定（異常判定動作がスタートしてから１０秒後
の判定）は正規水位であるが、２回目の判定（異常判定動作がスタートしてから２０秒後
の判定）が正規水位でないＮｏとなれば、ステップＳ４の判定がＹｅｓとなり、ステップ
Ｓ５にて漏水であると判定した出力状態となる。同様に、ステップＳ２での２回目の判定
まで（異常判定動作がスタートしてから１０秒後の判定）は正規水位であるが、３回目の
判定（異常判定動作がスタートしてから２０秒後の判定）が正規水位でないＮｏとなれば
、ステップＳ４の判定がＹｅｓとなり、ステップＳ５にて漏水であると判定した出力状態
となる。
【００５８】
この漏水の判定出力により、ステップＳ５では、警報装置８２としてのＬＥＤ（発光ダ
イオード）が、赤色発光または点滅状態にて警報するか、または発音によって漏水状態で
あることを警報する。この漏水状態は、漏水により温水タンク５の温水レベルの減少が速
く、漏水量がかなり大きいことを意味する。このときの漏水は、上記のように、温水タン
ク５の入口側の水路、温水タンク５の出口側の水路、または温水タンク５自体からである
と推察されるため、温水洗浄便座装置１への水道水配管（通常は上水道配管）からパイプ
ジョイント装置１４へ供給される上水道の元栓を閉め、漏水箇所を点検修理すればよい。
なお、警報装置８２が発音装置の場合は、漏水判定により直ちに発音するのではなく、漏
水判定になったときＬＥＤ（発光ダイオード）にて警報すると共に、制御ボックス８０の
スイッチＳＷの手動操作部８３のいずれかを押したとき発音するようにしてもよい。
【００５９】
ステップＳ２での判定がＮｏの状態において、ステップＳ４での判定がＮｏとなれば、
Ｎｏ−２のフローへ移行する。フローＮｏ−２は、漏水により温水タンク５の温水レベル
の減少が遅く、漏水量が軽微である場合の漏水判定である。Ｎｏ−２のフローへの移行に
よって、異常判定動作がスタートしてからの時間が、第１判定基準時間ｔ１より長い第２
判定基準時間ｔ２未満または以内であるかの判定をするものである。そのため、第１判定
基準時間ｔ１以上又は第１判定基準時間ｔ１を超え、第２判定基準時間ｔ２未満か以内か
が、ステップＳ６において制御部６０に含まれる第２判定手段にて判定される。この判定
によって、異常判定動作がスタートしてからの時間が、第２判定基準時間ｔ２以内であれ
ば、ステップＳ６の判定がＹｅｓとなり、ステップＳ７にエラー状態として示すように、
漏水であると判定した出力状態となる。この第２判定基準時間ｔ２は、漏水量が少ない漏
水の判定に適する比較的短い値に設定され、実施例では１５分としている。
【００６０】
このため、ステップＳ２での１０秒ごとの判定において、ステップＳ２で行なわれる４
回目から９０回目までの間に行なわれる判定のいずれかが、正規水位でないＮｏとなるこ
とにより、ステップＳ６の判定がＹｅｓとなり、ステップＳ７にエラー状態として示すよ
うに、漏水であると判定した出力状態となる。
【００６１】
この漏水の判定出力により、ステップＳ７では、警報装置８２としてのＬＥＤ（発光ダ
イオード）が、赤色発光または点滅状態にて警報するか、または発音によってエラー状態
であることを警報する。この漏水の判定では、漏水量が軽微な状態であることを意味する
。この漏水は、上記のように、温水タンク５の入口側の水路、温水タンク５の出口側の水
路、または温水タンク５自体からであると推察されるため、温水洗浄便座装置１への水道
水配管（通常は上水道配管）からパイプジョイント装置１４へ供給される上水道の元栓を
閉め、漏水箇所を点検修理すればよい。なお、警報装置８２が発音装置の場合は、漏水の
判定（ステップＳ６）になったとき直ちに発音するのではなく、漏水の判定（ステップＳ
６）になったときＬＥＤ（発光ダイオード）にて警報すると共に、制御ボックス８０のス
イッチＳＷの手動操作部８３のいずれかを押したとき発音するようにしてもよい。
【００６２】
上記フローＮｏ−１、Ｎｏ−２のいずれにおいても、漏水の判定が出た状態において、
温水洗浄便座装置１側の電源プラグを電源コンセントから引き抜くことによって、制御部
６０各回路はリセットされ、再び温水洗浄便座装置１側の電源プラグを電源コンセントへ
差し込むことによって、上記同様の図９に示す動作が行われる。
【００６３】
また、ステップＳ１３に示すように、待機モードＴＭの途中において着座検出装置２５
が着座を検知すれば、待機モードＴＭから使用モードＳＭへ移行する。そして、再度、着
座検出装置２５が着座を検知しない状態になれば、上記のように待機モードＴＭに移行し
、リセットされた漏水判定モードは、上記のように最初からの動作を開始することとなる
。
【００６４】
第１判定基準時間ｔ１をかなり短く設定した場合は、温水レベルの減少が極めて速い場
合の漏水検知に適する。温水レベルの減少が極めて速い場合とは、配管ホースＰＰが外れ
た場合等のように大量の漏水がある状態であり、配管ホースＰＰが外れた場合は、数秒で
温水タンク５の水位が下限レベル（下限水位）以下に減少する。この状態を検知するため
には、第１判定基準時間ｔ１を例えば１〜５秒のようにかなり短くすれば、速やかな漏水
検知に対応できる。このように、配管ホースＰＰが外れた場合等のように大量の漏水であ
ることを検知するためには、第１判定基準時間ｔ１を短くすればよい。また、このような
大量の漏水状態ではないが、ある程度多くの漏水状態を検知するためには、第１判定基準
時間ｔ１を長く設定すればよい。
【００６５】
温水タンク５内の温水レベルは、上記のように、温水タンク５内の温水の蒸発や漏水に
て低下する。温水タンク５の容量にもよるが、実施例においては、蒸発による自然低下の
場合、約８０時間で上限レベル（上限水位）から下限レベル（下限水位）まで低下する。
しかし、長期間に亘って留守等にしない限り、トイレの通常使用状態においては、この約
８０時間に亘って待機モードＴＭが続くことは殆んど無いと考えてよいため、蒸発による
自然低下にて漏水判定が出ることはない。
【００６６】
このようなことを総合的に考慮すれば、第１判定基準時間ｔ１及び第２判定基準時間ｔ
２は、漏水による水位の減少割合を考慮して設定すればよい。即ち、温水タンク５の容量
や、上限レベル（上限水位）と下限レベル（下限水位）との水位差等を考慮し、配管ホー
スＰＰが外れた場合等のように急激な漏水検知を主目的とするか、このように急激な漏水
検知と併せて急激ではないが漏水量が大きい場合の漏水検知をも行なうことができるよう
にするかによって、第１判定基準時間ｔ１を定めればよい。実施例では、第１判定基準時
間ｔ１は、制御部６０に１５分未満の任意の時間に設定できるようにしている。  また、
第２判定基準時間ｔ２は、制御部６０に１５分〜６時間の中の任意の時間に設定できるよ
うにしている。
【００６７】
第１判定基準時間ｔ１と第２判定基準時間ｔ２は、制御部６０に設定できるものであり
、製品出荷時または出荷後のトイレへの設置状態において、製品販売者やトイレ管理者な
どの特定の人が可変設定できるように構成すれば、トイレの使用環境に合わせた漏水判定
が達成できるものとなる。
【００６８】
本発明では、更に、異常検知として、ごみ取り用のストレーナ６２が詰まった場合の検
出手段を備えている。この検出手段は、着座検知装置２５が着座を検出していない前記待
機状態（待機モード）の継続が所定時間ｔ3に達したとき、温水タンク５への給水によっ
て基準給水時間ｔ４経過しても、水位が上限レベルに達しないときは、ストレーナ６２の
詰まりと判定するものである。ストレーナ６２が詰まっていない正常状態では、温水タン
ク５内の温水レベル（水位）が、リードスイッチ５１ＢがＯＦＦする下限レベル（下限水
位）に減少した場合、制御部６０の動作にて電磁弁４０を開いて温水タンク５内に水が供
給される。そして、温水レベルが上昇して上限レベル（上限水位）に達したとき、リード
スイッチ５１ＢがＯＮし、電磁弁４０を閉じる。
【００６９】
通常使用に適した実施例の温水タンク５の場合は、下限レベル（下限水位）から上限レ
ベル（上限水位）に達するまでの実質的給水時間は、５秒位である。また、温水タンク５
が空の状態から上限レベル（上限水位）に達するまでの実質的給水時間は、約１分あれば
十分である。しかし、ストレーナ６２が詰まっている場合は、電磁弁４０を開いても所定
時間内に温水レベルが上限レベル（上限水位）に達しない。以下、ストレーナ６２が詰ま
った場合の本発明に係る検出手段を説明する。
【００７０】
図９において、ステップＳ２での判定がＮｏの場合は、上記のように、Ｎｏ−１のフロ
ーとＮｏ−２のフローが実行されるが、これに更に、フローＮｏ−３が実行されるように
構成している。このフローＮｏ−３が、ストレーナ６２が詰まった場合の本発明に係る検
出手段である。
【００７１】
上記のように、前記待機状態（待機モードＴＭ）に移行したとき、前記ウォッチングタ
イマＷＴＣと同時スタートし、その継続時間を積算する（ステップＳ６）。Ｎｏ−３のフ
ローでは、この積算時間が、制御部６０に設定した所定時間である第３判定基準時間ｔ３
に達したか否かが判定手段にて判定される。第３判定基準時間ｔ３を所定時間以上とし、
実施例では６時間としている。
【００７２】
実施例において第３判定基準時間ｔ３を６時間としたのは、次の理由による。即ち、上
記のように、待機モードＴＭはトイレの不使用時間帯で形成されるが、一般家庭でのトイ
レの不使用時間帯は夜間であると判断し、トイレの不使用時間の平均値を６時間と判断し
て、第３判定基準時間ｔ３を６時間とした。
【００７３】
ステップＳ２での判定がＮｏの状態において、ステップＳ６での判定がＮｏとなれば、
Ｎｏ−３のフローへ移行する。フローＮｏ−３への移行によって、異常判定動作がスター
トしてからの時間が、第２判定基準時間ｔ２以上で且つ第３判定基準時間ｔ３以内か否か
、又は第２判定基準時間ｔ２を超え第３判定基準時間ｔ３以内か否かが、ステップＳ８に
おいて制御部６０に含まれる第３判定手段にて判定される。この判定によって、異常判定
動作がスタートしてからの時間が、第３判定基準時間ｔ３以内であれば、ステップＳ８の
判定がＹｅｓとなり、制御部６０の動作によって電磁弁４０を開き自動給水する（ステッ
プＳ９）。ステップ１０では、温水タンク５の水位が下限レベル（下限水位）から上限レ
ベル（上限水位）に達するまでの時間が基準給水時間ｔ4以内か否かが判定手段にて判定
される。
【００７４】
温水タンク５の容量にもよるが、通常使用に適した実施例の温水タンク５の場合、スト
レーナ６２が詰まっていない正常状態では、実施例では、温水タンク５が空の状態から上
限レベル（上限水位）に達するまでの実質的給水時間は、５０秒〜１分位である。また、
下限レベル（下限水位）と上限レベル（上限水位）の位置の設定にもよるが、実施例では
、下限レベル（下限水位）から上限レベル（上限水位）に達するまでの実質的給水時間は
５秒位である。この実施例では、判定動作の安定化のために余裕をもって、上記５０秒〜
１分の実質的給水時間よりも長い時間である２分を、基準給水時間ｔ４として設定してい
る。
【００７５】
ストレーナ６２が詰まっていない正常状態では、制御部６０の動作によって電磁弁４０
を開き自動給水モードとなり（ステップＳ９）、基準給水時間ｔ４として設定した２分よ
りも十分短い時間（上記では５秒位）でもって、温水タンク５の温水レベルが上昇して上
限レベル（上限水位）に達し、それによってステップＳ１０での判定がＹｅｓとなり、リ
ードスイッチ５１ＢがＯＮし、制御部６０の動作によって電磁弁４０を閉じる。
【００７６】
ステップＳ１１において、制御部６０に含まれる第４判定手段にて、ステップＳ９での
自動給水により、温水タンク５の温水レベルが上昇して上限レベル（上限水位）に達する
までの自動給水時間が、基準給水時間ｔ４以内か否かが判定される。ストレーナ６２が詰
まっていない正常状態では、ステップＳ９での自動給水により、温水タンク５の温水レベ
ルが上昇して上限レベル（上限水位）に達するまでの自動給水時間が、基準給水時間ｔ４
よりも短いため、ステップＳ１１で判定がＹｅｓとなり、ステップＳ２へ移行する。しか
し、ストレーナ６２が詰まっている場合は、制御部６０の動作によって電磁弁４０を開い
て自動給水モードとなっても（ステップＳ９）、温水タンク５の温水レベルが上昇しない
か上昇してもその速度が遅く、基準給水時間ｔ４として設定した２分経っても、温水レベ
ルが上限レベル（上限水位）に達しない。このため、ステップＳ１１での判定がＮｏ（ス
トレーナ６２の詰まり判定）となり、ステップＳ１２では、エラー状態として示すように
、ストレーナ６２の詰まりであると判定した出力状態となる。
【００７７】
この詰まり判定出力により、ステップＳ１２では、警報装置８２としてのＬＥＤ（発光
ダイオード）が、赤色発光または点滅状態にて警報するか、または発音によってエラー状
態であることを警報する。なお、警報装置８２が発音装置の場合は、詰まり判定になった
とき直ちに発音するのではなく、詰まり判定になったときＬＥＤ（発光ダイオード）にて
警報すると共に、制御ボックス８０のスイッチＳＷの手動操作部８３のいずれかを押した
とき発音するようにしてもよい。
【００７８】
また、ステップＳ１３に示すように、待機モードＴＭの途中に着座検出装置２５が着座
を検知すれば、待機モードＴＭから使用モードＳＭへ移行する。そして、再度、着座検出
装置２５が着座を検知しない状態になれば、上記のように待機モードＴＭに移行し、リセ
ットされた漏水判定モードとストレーナ６２の詰まり判定モードは、上記のように最初か
らの動作を開始することとなる。
【００７９】
上記において、詰まり判定が出た状態において、温水洗浄便座装置１側の電源プラグを
電源コンセントから引き抜くことによって、制御部６０の各回路はリセットされ、再び温
水洗浄便座装置１側の電源プラグを電源コンセントへ差し込むことによって、上記同様の
図９に示す動作が行われる。
【００８０】
実施例において第３判定基準時間ｔ３を６時間としているが、一般家庭でのトイレの不
使用時間帯は各家庭によって異なるため、第３判定基準時間ｔ３を例えば、４時間〜５時
間の範囲の任意の時間のように、温水洗浄便座装置１が設置されるところの状況に合わせ
て設定すればよい。
【産業上の利用可能性】
【００８１】
上記実施例では、温水洗浄便座装置１は、おしり洗浄ノズルとビデ洗浄ノズルが、温水
タンクに掛かる水道水圧によって進出動作し先端部のノズル口から温水を噴出する形態で
あるが、これに替わって、おしり洗浄ノズルとビデ洗浄ノズルが、それぞれのモータによ
って進出・退避動作を行なうモータ式にも適用することができる。この場合、コイルバネ
４Ａ２、４Ｂ２は不要である。
【００８２】
このモータ式の場合も、洗浄ノズルユニットＮＵの構成及び動作は上記と同様であり、
ステッピングモータ４６を含む開閉弁４７機構とノズル通路切り替え弁４８機構、及びお
しり洗浄用ノズル４Ａとビデ洗浄用ノズル４Ｂの機構、ステッピングモータ４６を含む開
閉弁４７機構とノズル通路切り替え弁４８機構は、上記と同様である。
【００８３】
このため、電磁弁４０が開くことにより温水タンク５内に水道水が供給される温水洗浄
便座において、おしり洗浄用ノズル４Ａとビデ洗浄用ノズル４Ｂが、それぞれのモータに
よって進出・退避動作を行なうモータ式の場合も含めて、本発明は、上記実施例に示した
構成に限定されず、種々の形態のものに適用できるものであり、本発明の技術範囲におい
て種々の形態を包含するものである。
【００８４】
上記では、温水タンク５内の上限水位（上限レベル）と下限水位（下限レベル）は、フ
ロート５１Ａが上下動するとき、リードスイッチ５１Ｂに磁石Ｍｇが作用する時点と作用
しなくなる時点とによって定めているが、上限水位（上限レベル）リードスイッチと、下
限水位（下限レベル）リードスイッチを設け、上限水位（上限レベル）リードスイッチが
磁石ＭｇによってＯＮする時点を上限水位（上限レベル）とし、下限水位（下限レベル）
リードスイッチが磁石ＭｇによってＯＮする時点を下限水位（下限レベル）とする方式で
も、上記同様の漏水検知が達成される。また、水位検知器２２をフロートスイッチで示し
たが、電極式であっても同様の作用効果を達成できる。
【符号の説明】
【００８５】
１・・・・・温水洗浄便座装置
２・・・・・便座
３・・・・・開閉蓋
４Ａ・・・・おしり洗浄用ノズル
４Ｂ・・・・ビデ洗浄用ノズル
５・・・・・温水タンク
６・・・・・電装部
７・・・・・カバー
８・・・・・基材部
９・・・・・電動機装置
１０・・・・機能部
１２・・・・電動機装置
２２・・・・フロートスイッチ
２４・・・・便座の軸部
２５・・・・着座検出装置
２８・・・・タクトスイッチ
４０・・・・電磁弁
４１・・・・減圧弁
４３Ａ・・・おしり洗浄開始スイッチ
４３Ｂ・・・ビデ洗浄開始スイッ
４４・・・・洗浄停止スイッチ
４６・・・・ステッピングモータ
４７・・・・開閉弁
４８・・・・ノズル通路切り替え弁
４８Ａ・・・連通路
５１Ａ・・・フロート
５１Ｂ・・・リードスイッチ
５１Ｃ・・・ガイド棒  
６０・・・・制御部
７０・・・・回動軸
７１・・・・筒体
７２・・・・分岐部
７３・・・・中空通路
７４Ａ・・・おしり洗浄用ノズル４Ａ側の入口通路
７４Ｂ・・・ビデ洗浄用ノズル４Ｂ側の入口通路
７５・・・・タンク水送出パイプ
８０・・・・制御ボックス
８１・・・・絶縁性基板
８２・・・・警報装置
８３・・・・手動操作部
８４・・・・カバー
８５・・・・可撓性薄板
ＭＧ・・・・磁石
ＮＵ・・・・洗浄ノズルユニット
ＷＴＣ・・・ウォッチングタイマ
【図１】
2010285774.tif 000003
【図２】
2010285774.tif 000004
【図３】
2010285774.tif 000005
【図４】
2010285774.tif 000006
【図５】
2010285774.tif 000007
【図６】
2010285774.tif 000008
【図７】
2010285774.tif 000009
【図８】
2010285774.tif 000010
【図９】
2010285774.tif 000011